(57)【要約】【課題】燃焼室に複数並設した偏平バーナ２からの燃焼ガスを排気ファンにより吸引して外部に排気するようにした燃焼装置であって、燃焼室の下面の仕切板３に形成した分布孔３１から燃焼室に二次空気を供給すると共に、仕切板３の前端から立ち上がる起立板４に開設した、偏平バーナ２の流入口２３に連通する導入口４１に、ガスマニホールド６と起立板４との間の空間を介して一次空気を供給するものにおいて、分布孔の個数を減少せずに、一次空気不足を解消できるようにする。【解決手段】、ガスマニホールド６と起立板４との間の空間の下部と上部を外部空間に連通する通気路を設ける。また、上記空間の横方向両側の側端部を外部空間に連通しないように閉塞する。更に、横方向最外方のガスノズル６１から横方向外方にガスノズル間の間隔の半分と同等距離離れた位置に、ガスマニホールド６の後面に接する上下方向長手の障壁部９を設ける。【選択図】図３
2018204811.tif 000002
【特許請求の範囲】
【請求項１】
燃焼筐を備え、燃焼筐内の燃焼室に、上端に前後方向に長手の炎口を有する偏平バーナが横方向に複数並設され、これら偏平バーナの炎口から噴出する混合気の燃焼で生ずる燃焼ガスを排気ファンにより吸引して外部に排気するようにした燃焼装置であって、燃焼筐内に、燃焼室の下面の仕切板と、仕切板の前端から偏平バーナの下部前端に沿って立上る起立板とが設けられ、起立板に、各偏平バーナの下部前端に開口する流入口に連通する各導入口が開設され、各導入口に臨む各ガスノズルが後面に突設されたガスマニホールドが起立板の前方に対向配置され、ガスマニホールドと起立板との間の空間から各導入口を介して各偏平バーナの流入口に一次空気が供給されると共に、仕切板に形成した多数の分布孔を介して燃焼室に二次空気が供給されるようにしたものにおいて、
ガスマニホールドと起立板との間の空間の下部を燃焼筐の外部空間に連通する第１通気路と、ガスマニホールドと起立板との間の空間の上部を燃焼筐の外部空間に連通する第２通気路とが設けられ、
ガスマニホールドと起立板との間の空間の横方向両側の側端部は、燃焼筐の外部空間に連通しないように閉塞され、横方向最外方のガスノズルから横方向外方にガスノズル間の間隔の半分と同等距離離れた位置に、最外方のガスノズルの横方向に対向すると共にガスマニホールドの後面に接する上下方向長手の障壁部が設けられることを特徴とする燃焼装置。
【発明の詳細な説明】
【技術分野】
【０００１】
本発明は、燃焼筐を備え、燃焼筐内の燃焼室に、上端に前後方向に長手の炎口を有する偏平バーナが横方向に複数並設され、これら偏平バーナの炎口から噴出する混合気の燃焼で生ずる燃焼ガスを排気ファンにより吸引して外部に排気するようにした燃焼装置に関する。
【背景技術】
【０００２】
従来、この種の燃焼装置として、特許文献１により、燃焼筐内に、燃焼室の下面の仕切板と、仕切板の前端から偏平バーナの下部前端に沿って立上る起立板とが設けられ、起立板に、各偏平バーナの下部前端に開口する流入口に連通する各導入口が開設され、各導入口に臨む各ガスノズルが後面に突設されたガスマニホールドが起立板の前方に対向配置され、ガスマニホールドと起立板との間の空間から各導入口を介して各偏平バーナの流入口に一次空気が供給されると共に、仕切板に形成した多数の分布孔を介して燃焼室に二次空気が供給されるようにしたものが知られている。また、このものでは、燃焼筐に、仕切板の下方に位置する底板を設けて、底板と仕切板との間に、底板に開設した給気口を介して燃焼筐の外部空間に連通する給気室を画成し、この給気室にガスマニホールドと起立板との間の空間を連通させている。
【０００３】
上記従来例のものでは、排気ファンによる吸引力で給気室内の空気が分布孔を介して燃焼室に二次空気として供給されやすく、給気室からガスマニホールドと起立板との間の空間を経由して偏平バーナの流入口に供給される一次空気が不足しやすくなる。給気室内の空気のうち二次空気として供給される割合を減少させて、一次空気不足を解消するには、分布孔の個数を減少させる必要がある。然し、これでは、通気抵抗が増加するため、ファン回転数を高くすることが必要になり、消費電力が増加すると共にファン騒音が増大してしまう。
【先行技術文献】
【特許文献】
【０００４】
【特許文献１】特開２０１６−２９３１６号公報
【発明の概要】
【発明が解決しようとする課題】
【０００５】
本発明は、以上の点に鑑み、分布孔の個数を減少せずに、一次空気不足を解消できるようにした燃焼装置を提供することをその課題としている。
【課題を解決するための手段】
【０００６】
上記課題を解決するために、本発明は、燃焼筐を備え、燃焼筐内の燃焼室に、上端に前後方向に長手の炎口部を有する偏平バーナが横方向に複数並設され、これら偏平バーナの炎口部から噴出する混合気の燃焼で生ずる燃焼ガスを排気ファンにより吸引して外部に排気するようにした燃焼装置であって、燃焼筐内に、燃焼室の下面の仕切板と、仕切板の前端から偏平バーナの下部前端に沿って立上る起立板とが設けられ、起立板に、各偏平バーナの下部前端に開口する流入口に連通する各導入口が開設され、各導入口に臨む各ガスノズルが後面に突設されたガスマニホールドが起立板の前方に対向配置され、ガスマニホールドと起立板との間の空間から各導入口を介して各偏平バーナの流入口に一次空気が供給されると共に、仕切板に形成した多数の分布孔を介して燃焼室に二次空気が供給されるようにしたものにおいて、ガスマニホールドと起立板との間の空間の下部を燃焼筐の外部空間に連通する第１通気路と、ガスマニホールドと起立板との間の空間の上部を燃焼筐の外部空間に連通する第２通気路とが設けられ、ガスマニホールドと起立板との間の空間の横方向両側の側端部は、燃焼筐の外部空間に連通しないように閉塞され、横方向最外方のガスノズルから横方向外方にガスノズル間の間隔の半分と同等距離離れた位置に、最外方のガスノズルの横方向に対向すると共にガスマニホールドの後面に接する上下方向長手の障壁部が設けられることを特徴とする。
【０００７】
本発明によれば、ガスマニホールドと起立板との間の空間が第１と第２の各通気路を介して燃焼筐の外部空間に連通するため、分布孔を介して作用する排気ファンによる吸引力の影響を受けることなく、燃焼筐の外部空間から各通気路を介してガスマニホールドと起立板との間の空間に空気が流入し、この空間から導入口を介して偏平バーナの流入口に一次空気が供給される。従って、仕切板に形成する分布孔の個数を減少せずに、一次空気不足を解消できる。その結果、排気ファンの回転数を高くせずに済み、消費電力の増加やファン騒音の増大といった不具合を防止できる。
【０００８】
ここで、ガスマニホールドと起立板との間の空間が横方向両側の側端部でも外部空間に連通していると、横方向最外方の偏平バーナの流入口に、第１と第２の通気路から流入する空気だけでなく上記側端部から流入する空気も一次空気として供給されてしまい、最外方の偏平バーナに供給される一次空気量が過多になる。更に、上記側端部を閉塞しても、最外方のガスノズルの横方向外方の空隙が広いと、第１と第２の通気路から最外方のガスノズルの横方向外方を通って最外方の導入口に向かう空気量が他のガスノズルの横方向外方を通って対応する導入口に向かう空気量よりも多くなり、最外方の偏平バーナに供給される一次空気量が過多になりやすい。これに対し、本発明では、上記側端部から空気が流入せず、且つ、第１と第２の通気路から最外方のガスノズルの横方向外方を通って最外方の導入口に向かう空気量が障壁部により制限されて、他のガスノズルの横方向外方を通って対応する導入口に向かう空気量と同等になる。その結果、最外方の偏平バーナに他の偏平バーナと同様の適量の一次空気を供給することができる。
【図面の簡単な説明】
【０００９】
【図１】本発明の第１実施形態の燃焼装置の斜視図。
【図２】図１のＩＩ−ＩＩ線で切断した切断側面図。
【図３】図２のＩＩＩ−ＩＩＩ線で切断した切断平面図。
【図４】実施形態の燃焼装置で使用する偏平バーナの上部の拡大断面図。
【図５】第２実施形態の燃焼装置の要部の切断側面図。
【図６】図５のＶＩ−ＶＩ線で切断した切断平面図。
【図７】第３実施形態の燃焼装置の要部の切断平面図。
【発明を実施するための形態】
【００１０】
図１、図２を参照して、本発明の実施形態の燃焼装置は、燃焼筐１を備えている。燃焼筐１内の燃焼室１ａには、上端の前後方向に長手の炎口と、下部前端に開口する流入口とを有する偏平バーナ２が横方向に複数並設されている。また、燃焼筐１の前面上部の前板部１１には、偏平バーナ２の上方に臨む点火電極１２及びフレームロッド１３と、覗き窓１４とが設けられている。尚、図示しないが、偏平バーナ２の炎口から噴出する混合気の燃焼で生ずる燃焼ガスは、熱交換器を経由した後、排気ファンにより吸引して外部に排気される。
【００１１】
本実施形態の偏平バーナ２は、炎口として、図４に示す如く、理論空燃比よりも燃料濃度が希薄な淡混合気を噴出する淡炎口２１と、淡炎口２１の横方向両側に位置し、淡混合気よりも燃料濃度が濃い濃混合気を噴出する濃炎口２２とを有し、流入口として、淡炎口２１用の淡流入口２３と、淡流入口２３の上方に位置する濃炎口２２用の濃流入口２４とを有する濃淡バーナで構成されている。淡炎口２１内には、複数の整流板２１ａが装着されている。また、淡炎口２１の両側部には、濃炎口２２との間に位置させて、混合気が噴出しない還流域２１ｂが設けられている。
【００１２】
燃焼筐１内には、燃焼室１ａの下面の仕切板３と、仕切板３の前端から偏平バーナ２の下部前端に沿って立上る起立板４とが設けられている。仕切板３には、多数の分布孔３１が形成されている。そして、排気ファンによる吸引力でこれら分布孔３１を介して燃焼室１ａに二次空気が供給されるようにしている。尚、本実施形態では、仕切板３の下方に位置する燃焼筐１の底面が開放されているが、底面を底板で閉塞して、底板に開設した給気口から流入する空気が分布孔３１を介して二次空気として燃焼室１ａに供給されるようにしてもよい。
【００１３】
起立板４には、各偏平バーナ２の淡流入口２３と濃流入口２４に夫々連通する淡導入口４１と濃導入口４２とが開設されている。尚、起立板４の前面には、淡導入口４１及び濃導入口４２に重なる開口部を有するダンパ板５が取付けられている。また、起立板４の上端は、前方に屈曲して前板部１１の下端に達している。
【００１４】
起立板４の前方にはガスマニホールド６が対向配置されている。ガスマニホールド６の後面には、各淡導入口４１に臨む各淡ガスノズル６１と、各濃導入口４２に臨む各濃ガスノズル６２とが突設されている。そして、各淡ガスノズル６１から噴射された燃料ガスが各淡導入口４１を介して各偏平バーナ２の淡流入口２３に供給されると共に、ガスマニホールド６と起立板４との間の空間から各淡導入口４１を介して各偏平バーナ２の淡流入口２３に一次空気が供給され、淡流入口２３に連なる偏平バーナ２内の混合通路での燃料ガスと一次空気の混合で生成される淡混合気が淡炎口２１から噴出する。また、各濃ガスノズル６２から噴射された燃料ガスが各濃導入口４２を介して各偏平バーナ２の濃流入口２４に供給されると共に、ガスマニホールド６と起立板４との間の空間から各濃導入口４２を介して各偏平バーナ２の濃流入口２４に一次空気が供給され、濃流入口２４に連なる偏平バーナ２内の混合通路での燃料ガスと一次空気との混合で生成される濃混合気が濃炎口２２から噴出する。
【００１５】
ここで、本実施形態では、ガスマニホールド６と起立板４との間の空間の下部を燃焼筐１の外部空間に連通する第１通気路７と、ガスマニホールド６と起立板４との間の空間の上部を燃焼筐１の外部空間に連通する第２通気路８とを設けている。そのため、分布孔３１を介して作用する排気ファンによる吸引力の影響を受けることなく、燃焼筐１の外部空間から第１と第２の各通気路７，８を介してガスマニホールド６と起立板４との間の空間に空気が流入し、この空間から淡と濃の各導入口４１，４２を介して偏平バーナ２の淡と濃の各流入口２３，２４に一次空気が供給される。従って、仕切板３に形成する分布孔３１の個数を減少せずに、一次空気不足を解消できる。その結果、排気ファンの回転数を高くせずに済み、消費電力の増加やファン騒音の増大といった不具合を防止できる。
【００１６】
また、本実施形態では、ガスマニホールド６の後面に、第１通気路７に面する前下がりに傾斜した下部の第１斜状ガイド面７１と、第２通気路８に面する前上がりに傾斜した上部の第２斜状ガイド面８１とを形成している。更に、淡導入口４１の下端近傍から前下がりに傾斜してのび、第１斜状ガイド面７１との間に第１通気路７を画成する第１斜状ガイド板７２と、濃導入口４２の上端近傍から前上がりに傾斜してのび、第２斜状ガイド面８１との間に第２通気路８を画成する第２斜状ガイド板８２とを設けている。これによれば、第１と第２の各通気路７，８から淡と濃の各導入口４１，４２に向けてスムーズに一次空気を流すことができる。尚、本実施形態では、部品点数削減のため、第１と第２の両斜状ガイド板７２，８２をダンパ板５に一体に形成している。
【００１７】
ところで、ガスマニホールド６と起立板４との間の空間が横方向両側の側端部でも外部空間に連通していると、横方向最外方の偏平バーナ２の淡と濃の各流入口２３，２４に、第１と第２の通気路７，８から流入する空気だけでなく上記側端部から流入する空気も一次空気として供給されてしまい、最外方の偏平バーナ２に供給される一次空気量が過多になる。そこで、本実施形態では、図３に示す如く、ダンパ板５の横方向両側の側端部に、前方に屈曲してガスマニホールド６の後面に接する側板部５１を曲成し、この側板部５１によりガスマニホールド６と起立板４との間の空間の横方向両側の側端部を閉塞している。
【００１８】
然し、ガスマニホールド６と起立板４との間の空間の横方向両側の側端部を閉塞しても、横方向最外方の淡ガスノズル６１の横方向外方の空隙が広いと、第１通気路７から最外方の淡ガスノズル６１の横方向外方を通って最外方の淡導入口４１に向かう空気量が他の淡ガスノズル６１の横方向外方を通って対応する淡導入口４１に向かう空気量よりも多くなる。即ち、最外方以外の淡ガスノズル６１では、その横方向外方を通って対応する淡導入口４１に向かう空気流路の幅が淡ガスノズル６１，６１間の間隔の半分になるため、最外方の淡ガスノズル６１の横方向外方の空隙の幅が淡ガスノズル６１，６１間の間隔の半分より広くなると、最外方の偏平バーナ２の淡流入口２３に供給される一次空気量が過多になりやすい。
【００１９】
そこで、本実施形態では、図３に示す如く、横方向最外方の淡ガスノズル６１から横方向外方に淡ガスノズル６１，６１間の間隔の半分と同等距離離れた位置に、最外方の淡ガスノズル６１の横方向に対向すると共にガスマニホールド６の後面に接する上下方向に長手の障壁部９を設けている。尚、本実施形態では、障壁部９をガスマニホールド６に一体成形している。
【００２０】
このように障壁部９を設けると、第１の通気路７から最外方の淡ガスノズル６１の横方向外方を通って最外方の淡導入口４１に向かう空気量が障壁部９により制限されて、他の淡ガスノズル６１の横方向外方を通って対応する淡導入口４１に向かう空気量と同等になる。その結果、最外方の偏平バーナ２の淡流入口２３に他の偏平バーナ２と同様の適量の一次空気を供給することができる。
【００２１】
尚、最外方の偏平バーナ２の濃流入口２４には、障壁部９が無くても過度に一次空気が供給されることはないため、濃ガスノズル６２の先端側の斜め半部が障壁部９よりも上方に位置するように障壁部９の上端を斜めにカットしているが、濃ガスノズル６２全体が障壁部９の上端より下方に位置するように障壁部９の上端の高さ及び形状を設定してもよい。また、本実施形態では、障壁部９の後端とダンパ板５との間に前後方向の隙間が空くようにしているが、障壁部９の後端をダンパ板５に接触させてもよい。
【００２２】
次に、図５、図６に示す第２実施形態について説明する。第２実施形態では、起立板４の横方向両側の側端部に、ガスマニホールド６の側端部後面に接する側板部４３を曲成して、ガスマニホールド６と起立板４の間の空間の横方向両側の側端部を閉塞している。そして、側板部４３の位置を、横方向最外方の淡ガスノズル６１から横方向外方に淡ガスノズル６１，６１間の間隔の半分と同等距離離れた位置にしている。これにより、最外方の淡ガスノズル６１の横方向に対向させた状態でガスマニホールド６の後面に接する上下方向長手の障壁部９が側板部４３で構成されることになる。
【００２３】
また、図７に示す第３実施形態では、ダンパ板５の横方向両側部に曲成した、ガスマニホールド６の側端部後面に接して、ガスマニホールド６と起立板４の間の空間の横方向両側の側端部を閉塞する側板部５１の位置を、横方向最外方の淡ガスノズル６１から横方向外方に淡ガスノズル６１，６１間の間隔の半分と同等距離離れた位置にしている。これにより、最外方の淡ガスノズル６１の横方向に対向させた状態でガスマニホールド６の後面に接する上下方向長手の障壁部９が側板部５１で構成されることになる。
【００２４】
以上、本発明の実施形態について図面を参照して説明したが、本発明はこれに限定されない。例えば、上記実施形態では、偏平バーナ２を濃淡バーナで構成しているが、通常のブンゼン式バーナで偏平バーナを構成してもよい。この場合、起立板４に、各偏平バーナの下部前端に開口する単一の流入口に連通する導入口を開設し、この導入口に第１と第２の各通気路７，８を介して一次空気が向かうようにすればよい。
【符号の説明】
【００２５】
１…燃焼筐、１ａ…燃焼室、２…偏平バーナ、２１，２２…炎口、２３，２４…流入口、３…仕切板、３１…分布孔、４…起立板、４１，４２…導入口、６…ガスマニホールド、６１，６２…ガスノズル、７…第１通気路、８…第２通気路、９…障壁部。
【図１】
2018204811.tif 000003
【図２】
2018204811.tif 000004
【図３】
2018204811.tif 000005
【図４】
2018204811.tif 000006
【図５】
2018204811.tif 000007
【図６】
2018204811.tif 000008
【図７】
2018204811.tif 000009